(57)【要約】【課題】おむつ交換時に背側から漏れ出た水状便で衣服や布団が汚れることを防止し得る使い捨ておむつを提供すること。【解決手段】本発明の使い捨ておむつ１は、おむつ替え時におむつ本体１Ａの長手方向一端部１１から外方に延出するようになされた液不透過性のシート１Ｂを備えている。シート１Ｂはその端部に、丸めた状態のおむつ本体１Ａの収容が可能な袋状の収容部９を備えている。シート１Ｂは親水性のシート１０ａと液不透過性のシート１０ｂとの積層シートからなる。【選択図】図３
2005131382.tif 000002
【特許請求の範囲】
【請求項１】
おむつ替え時におむつ本体の長手方向一端部から外方に延出するようになされた液不透過性のシートを備え、該シートの端部に、丸めた状態の前記おむつ本体の収容が可能な袋状の収容部を備えている使い捨ておむつ。
【請求項２】
前記シートは、親水性のシート材と液不透過性のシート材との積層シートからなり、前記おむつ本体の端部から外方に延出させた状態で、前記親水性のシート材が該おむつ本体の表面シート側に位置するように且つ前記液不透過性のシート材が該おむつ本体の裏面シート側に位置するように配されている請求項１記載の使い捨ておむつ。
【請求項３】
前記シートの端部が、前記おむつ本体の裏面シート側に折り返され、折り返された部分の左右両側縁部がそれぞれ接合されて前記袋状の収容部を形成している請求項１又は２記載の使い捨ておむつ。
【請求項４】
前記おむつ本体におけるファスニングテープが取り付けられている側の端部から前記シートを延出させることができる請求項１〜３の何れかに記載の使い捨ておむつ。
【請求項５】
前記おむつ本体は、パンツ型で、その腹側部の左右両側部とその背側部の左右両側部とがそれぞれ接合されて形成されており、
前記シートは、一対の対向辺の長さが異なる台形様形状で、その短辺側である上底側部が前記おむつ本体の背側部の端部近傍の裏面シート側に接合固定されている請求項１〜３の何れかに記載の使い捨ておむつ。
【請求項６】
前記おむつ本体の腹側部の左右両側部の表面シート側に、それぞれ、メカニカルファスナーのメス部材が設けられており、
前記おむつ本体の背側部の左右両側部の表面シート側に、それぞれ、前記メカニカルファスナーのメス部材に係合し得るメカニカルファスナーのオス部材が設けられており、
前記メス部材と前記オス部材との係合により、前記腹側部の左右両側部と前記背側部の左右両側部との接合が形成されている請求項５記載の使い捨ておむつ。
【請求項７】
前記おむつ本体の背側部の端部近傍の左右両側部の裏面シート側に、それぞれ、廃棄テープが設けられており、該廃棄テープは、おむつ廃棄時に該おむつ本体の該裏面シートに止着し得る請求項５記載の使い捨ておむつ。
【請求項８】
前記シートが消臭機能を有している請求項１〜７の何れかに記載の使い捨ておむつ。
【発明の詳細な説明】
【技術分野】
【０００１】
本発明は使い捨ておむつに関し、更に詳しくは低月齢児用として特に好適に用いられる使い捨ておむつに関する。
【背景技術】
【０００２】
低月齢児は水状便を排泄することが多い。水状便は粘度が低く流動性が高いことから、おむつ装着中に便がおむつ外に漏れ出しやすい。また装着中に便がおむつ外に漏れ出ない場合であっても、おむつの交換時に、おむつ長手方向の端部、特に背側の端部から便が漏れ出しやすい。漏れ出た便は衣類や布団を汚してしまうことから、その洗濯を始めとするおむつ交換時の労力が大きかった。
【０００３】
これとは別に、使用済みの使い捨ておむつを、これに付設具備された後処理袋に収納・密封して廃棄する後処理袋付き使い捨ておむつが知られている（特許文献１参照）。このおむつにおいては、おむつ本体背面部に後処理袋の取り出し口が設けられており、この取り出し口の内部に後処理袋が収納されている。使用済みのおむつ本体は、丸められた後に後処理袋内に包み込まれ密封されて廃棄される。しかし、前記の後処理袋付きおむつを用いても、おむつ交換時における水状便の漏れ出しを防止することはできない。
【０００４】
【特許文献１】実開平３−１８８３１号公報
【発明の開示】
【発明が解決しようとする課題】
【０００５】
従って本発明の目的は、前述した従来技術が有する種々の欠点のない使い捨ておむつを提供することにある。
【課題を解決するための手段】
【０００６】
本発明は、おむつ替え時におむつ本体の長手方向一端部から外方に延出するようになされた液不透過性のシートを備え、該シートの端部に、丸めた状態の前記おむつ本体の収容が可能な袋状の収容部を備えている使い捨ておむつを提供することにより前記目的を達成したものである。
【発明の効果】
【０００７】
本発明の使い捨ておむつによれば、おむつ交換時に背側から漏れ出た水状便で衣服や布団が汚れることが防止される。従っておむつ交換の労力が軽減される。また使用済みのおむつを丸めて液不透過性のシート（以下、便漏れ防止シートともいう）の収容部に収容することで、おむつをそのまま廃棄することができ、別途ポリ袋等の廃棄用の袋を用意する必要がない。従って、例えば外出先でポリ袋等を携帯してない場合であっても衛生的におむつを廃棄することができる。
【発明を実施するための最良の形態】
【０００８】
以下本発明を、その好ましい実施形態に基づき図面を参照しながら説明する。本実施形態は、水状便の排泄が多い典型的な着用者である低月齢児を対象としたおむつへ本発明を適用した例である。図１には本発明の使い捨ておむつの一実施形態の斜視図が示されている。図２は図１におけるII−II線断面図である。
【０００９】
おむつ１は、おむつ本体１Ａと便漏れ防止シート１Ｂとを備えている。おむつ本体１Ａは、液透過性の表面シート２、液不透過性の裏面シート３及びこれら両シート２，３間に
介在される吸収体４を有し、実質的に縦長に形成されている。吸収体４は、表面シート２及び裏面シート３によって挟持・固定されている。表面シート２及び裏面シート３は、吸収体４の前後端縁から前後方向にそれぞれ延出してウエストフラップ５，５を形成している。また表面シート２及び裏面シート３は、吸収体４の左右側縁から横方向に延出してレッグフラップ６，６を形成している。レッグフラップ６，６には、おむつ着用者におむつ本体１Ａをフィットさせるためのレッグ弾性部材６１がそれぞれ設けられている。また、おむつ本体１Ａの表面シート側における長手方向左右両側には一対の立体ガード７がそれぞれ形成されている。立体ガード７の自由端には立体ガード弾性部材７１が配されてギャザーが形成されている。
【００１０】
おむつ本体１Ａの長手方向一端部側の左右両側部には一対のファスニングテープ８，８が取り付けられている。ファスニングテープ８における表面、即ちおむつ本体１Ａにおける表面シート２と同じ側の面には、該ファスニングテープ８を裏面シート３に止着させるための止着手段８１が設けられている。止着手段８１としては例えばメカニカルファスナのフック部材又はループ部材や、粘着剤などが挙げられる。
【００１１】
おむつ本体１Ａを構成する各部材の構成材料としては、従来この種のおむつに用いられてきたものと同様のものを用いることができる。例えば表面シート２としては各種不織布などの液透過性のシート材を用いることができる。不織布の構成繊維が疎水性の場合には不織布に親水化処理を施すことができる。裏面シート３としては液不透過性又は撥水性のシート材、例えば各種合成樹脂製のシートを用いることができる。このシートは液不透過性又は撥水性であることに加えて透湿性であることが好ましい。吸収体４としては例えばフラッフパルプと高吸収性ポリマーの粒子との積繊体を用いることができる。
【００１２】
本実施形態のおむつ１は、おむつ本体１Ａにおけるファスニングテープ８が設けられている側が着用者の背中に位置し、且つファスニングテープが設けられていない側が着用者の腹側に位置するように着用されるものである。従って、以下の説明においては、おむつ本体１Ａにおけるファスニングテープ８が設けられている側の端部を「背側端部」といい図中では符号１１で示す。また、ファスニングテープが設けられていない側の端部を「腹側端部」といい図中では符号１２で示す。
【００１３】
図１及び図２においては、おむつ１が展開され、また便漏れ防止シート１Ｂも展開された状態が示されている。しかし、おむつ１の着用状態においては、便漏れ防止シート１Ｂの裏面側（即ち、おむつ本体１Ａの裏面シート３と同じ側）の一部が裏面シート３へ仮止めされており、おむつ１の着用中に便漏れ防止シート１Ｂがバタつかないようになっている。
【００１４】
便漏れ防止シート１Ｂは縦長の矩形状でありその幅は、おむつ本体１Ａにおける吸収体４の幅よりも一回り程度大きくなっている。またその長さはおむつ本体１Ａの長さの約半分程度になっている。便漏れ防止シート１Ｂはその長手方向の一方の端部が、おむつ本体１Ａの長手方向一端部、具体的には背側端部１１における裏面シート側に接合固定されている。つまり便漏れ防止シート１Ｂの一方の端部は固定端になっている。これに対して便漏れ防止シート１Ｂにおけるもう一方の端部は自由端になっている。便漏れ防止シート１Ｂは、これを平らに展開した場合に、その自由端がおむつ本体１Ａの腹側端部１２に向かうように、おむつ本体１Ａに取り付けられている。そして、固定端の位置を軸にして便漏れ防止シート１Ｂは１８０度折り返され、おむつ本体１Ａの背側端部１１から外方に延出するようになっている。
【００１５】
図２に示すように、便漏れ防止シート１Ｂの自由端側においては、該便漏れ防止シート１Ｂが、おむつ本体１Ａの裏面シート側に折り返されている。そして、折り返された部分
の左右両側縁部がそれぞれ互いに接合されている。これによって便漏れ防止シート１Ｂの自由端側には袋状の収容部９が形成されている。収容部９の開口部９ａは、裏面シート３側に位置している。後述するように、収容部９には、丸められたおむつ本体１が収容される。従って収容部９の奥行き、つまり便漏れ防止シート１Ｂの折り返し長さＬ（図２参照）は、おむつ本体１Ａの大きさを考慮して決定される。一般的には、収容部９の奥行きがおむつ本体１Ａの長さの２０〜５０％程度であれば、丸めた状態のおむつ本体１Ａを収容部９内にぴったりと収容することができる。特に当該長さが２０〜３０％であれば廃棄形状がよりコンパクトになるので好ましい。
【００１６】
図２に示すように、便漏れ防止シート１Ｂは２枚のシート材が積層されて構成されている。詳細には、便漏れ防止シート１Ｂは、親水性のシート材１０ａと液不透過性又は撥水性のシート材１０ｂとが積層されて構成されている。両シート材１０ａ，１０ｂは、便漏れ防止シート１Ｂを、おむつ本体１Ａの背側端部から外方に延出させた状態で、親水性のシート材１０ａがおむつ本体１Ａの表面シート側に位置するように且つ液不透過性又は撥水性のシート材１０ｂがおむつ本体１Ａの裏面シート側に位置するようにそれぞれ配されている。
【００１７】
親水性のシート材１０ａとしては、親水性繊維からなる繊維シートや、疎水性繊維からなる繊維シートに親水化処理を施したものなどを用いることができる。具体的には、コットンやレーヨンなどの親水性繊維からなるスパンレース不織布や、ポリオレフィン系やポリエステル系の疎水性繊維からなるスパンボンド不織布やエアスルー不織布に親水化処理を施したものなどを用いることができる。一方、液不透過性又は撥水性のシート材１０ｂとしては、各種合成樹脂からなるシート、疎水性繊維からなる繊維シート若しくはこれに撥水処理したものなどを用いることができる。
【００１８】
便漏れ防止シート１Ｂは消臭機能を有していることが好ましい。これによって、使用済みのおむつ本体１を丸めて収容部９内に収容して廃棄しても、悪臭の発生を防止ないしは低減させることができる。便漏れ防止シート１Ｂに消臭機能を付与するには、例えば親水性のシート材１０ａ及び／又は液不透過性のシート材１０ｂに、消臭剤、脱臭剤、芳香剤などを付着させればよい。特に、便と直接接する面である親水性のシート材１０ａの消臭機能を付与することが効果的である。
【００１９】
本実施形態のおむつ１の使用方法は次の通りである。まずおむつ１の交換に先立ち、裏面シート３と便漏れ防止シート１Ｂとの仮止め状態を解き、便漏れ防止シート１Ｂがその固定部のみにおいて裏面シート３と固定されている状態にする。次に図３に示すように、便漏れ防止シート１Ｂがおむつ本体１Ａの背側端部１１から外方へ延出するように該便漏れ防止シート１Ｂを布団や畳、絨毯の上に展開すると共にその上に着用者を仰臥させる。この状態では、便漏れ防止シート１Ｂ上に着用者の腰部が位置する。この状態下にファスニングテープ８による止着を解き、おむつ本体１Ａを展開状態にする。そして、着用者の足首等を把持し引き上げて、着用者の臀部に付着している便を拭き取る。この場合でも、本実施形態によれば、おむつ本体１Ａの背側端部から便漏れ防止シート１Ｂが外方へ延出しているので、おむつ本体１Ａの背側端部から水状便が漏れ出たとしても、漏れ出た水状便は便漏れ防止シート１Ｂ上を流れるのみなので、その下に位置する布団や畳、絨毯などが便で汚れることが防止される。着用者の衣服が汚れることも防止される。特に本実施形態では、便漏れ防止シート１Ｂのうち、便と直接接する面が、水状便とのなじみが良好である親水性のシート１０ａから構成されているので、流動性の高い水状便であっても便漏れ防止シート１Ｂの表面をさっと流れて該シート１０Ｂの外へ漏れ出してしまうことが効果的に防止される。しかも、便漏れ防止シート１Ｂのうち裏面側が液不透過性又は撥水性のシート１０ｂで構成されているので、便漏れ防止シート１Ｂを通じて便が染み出すこともない。
【００２０】
着用者の臀部に付着した便を拭き取った後に新しいおむつを着用させたら、使用済みのおむつを廃棄する。この廃棄操作を、図４を参照しながら説明する。先ず図４（ａ）に示すように、おむつ本体１Ａを腹側端部（図示せず）から背側端部１１へ向けて巻き上げる。背側端部１１までおむつ本体１Ａを巻き上げたら、ファスニングテープ８，８をおむつ本体１Ａの裏面シート３上に止着する。これによっておむつ本体１Ａの巻き上げ形態が維持される。
【００２１】
次に図４（ｂ）に示すように、便漏れ防止シート１Ｂにおける袋状の収容部９の表裏を反転させて、図４（ｃ）に示すように収容部９の開口部９ａが、巻き上げ形態となっているおむつ本体１Ａに臨むようにする。そして、図４（ｃ）に示す状態下に、巻き上げ形態となっているおむつ本体１Ａを開口部９ａを通じて収容部９内に収容する。その結果、図４（ｄ）に示す廃棄形態が形成される。この廃棄形態によれば、便はおむつ本体１Ａの内部に保持され外部には漏れ出ないので、更にポリ袋等に入れることなく当該廃棄形態のまま衛生的に廃棄することができる。そのまま廃棄しても悪臭が漏れ出ることもない。
【００２２】
以上の通り本実施形態のおむつ１によれば、流動性の高い便である水状便がおむつ交換時におむつの外へ漏れ出て布団や衣服を汚すことが防止される。しかも簡単な操作によって、便をおむつの内部に封じ込めた廃棄形態を形成することができる。その上、当該廃棄形態のまま衛生的に廃棄することができ、別途廃棄用のポリ袋等を用意する必要もない。便漏れ防止シート１Ｂが消臭機能を有する場合には、おむつの廃棄後に、悪臭の発生を防止ないしは低減させることができる。
【００２３】
以上、本発明をその好ましい実施形態に基づき説明したが、本発明は前記実施形態に制限されるものはない。例えば前記実施形態においては、おむつ１の使用時には収容部９の開口部９ａが、おむつ本体１Ａの裏面シート側に位置しており、廃棄時に収容部９の表裏を反転させて開口部９ａが表面シート側に位置するようにしたが、これに代えて、予め収容部９の表裏を反転させておき、使用時において開口部９がおむつ本体１Ａの表面シート側に位置するようにしておいてもよい。或いは、収容部９の表裏を反転させることに代えて、便漏れ防止シート１Ｂの自由端を表面シート側に折り返して収容部９を形成することで、使用時において開口部９がおむつ本体１Ａの表面シート側に位置するようにしてもよい。
【００２４】
また、ファスニングテープが着用者の腹側に取り付けられているおむつにおいては、ファスニングテープが取り付けられていない側のおむつ端部に便漏れ防止シートを取り付けることができる。
【００２５】
また前記実施形態のおむつは、おむつ本体の一方の端部にファスニングテープを有する展開型のものであったが、これに代えて本発明をパンツ型のおむつに適用することも勿論可能である。
【００２６】
次に、本発明の使い捨ておむつがパンツ型である好ましい一実施形態（以下、第２実施形態ともいう）について、図５〜図１１を参照しながら説明する。第２実施形態は、図１〜図４に示す実施形態（以下、第１実施形態ともいう）に比して、おむつ本体がパンツ型である点及び便漏れ防止シートが台形様形状である点が異なり、その他の点については第１実施形態と同様である。従って、第２実施形態に関し特に説明しない点については、第１実施形態に関する説明が適宜適用されるが、その他の点についても適宜説明する。図５〜図７は、第２実施形態のパンツ型の使い捨ておむつにおけるおむつ本体１Ａ及び便漏れ防止シート１Ｂの展開状態を示す図である。
【００２７】
第２実施形態のおむつ１は、図５〜図７に示すように、第１実施形態と同様におむつ本体１Ａ及び便漏れ防止シート１Ｂを備えている。而して、第２実施形態においては、おむつ本体１Ａは、パンツ型で、その腹側部１４の左右両側部１６，１６とその背側部１３の左右両側部１５，１５とがそれぞれ接合されて形成されており、便漏れ防止シート１Ｂは、一対の対向辺の長さが異なる台形様形状で、その短辺側である上底側部１０ｃがおむつ本体１Ａの背側部１３の端部１１近傍の裏面シート３側に接合固定されている。
【００２８】
台形様形状のシートである前記便漏れ防止シート１Ｂについて詳述すると、第２実施形態における便漏れ防止シート１Ｂは、図５〜図７に示すように、上底、下底及び斜辺が直線で形成された台形形状で、その短辺側である上底側部１０ｃがおむつ本体１Ａの背側部１３の端部１１近傍の裏面シート３側に接合固定されている。収納部９も便漏れ防止シート１Ｂ全体の形状に合わせて台形形状になっている。
【００２９】
便漏れ防止シート１Ｂの上底側部１０ｃの幅Ｍ１（図６参照）は、１０ｃｍ〜１５ｃｍであることが好ましく、第１実施形態における便漏れ防止シート１Ｂの固定部の幅と略同じで、一対のメカニカルファスナーのオス部材１７，１７（後述）の間隔よりも狭くなっている。また、便漏れ防止シート１Ｂの下底側部１０ｄの幅Ｍ２（図６参照）は、２０ｃｍ〜３０ｃｍであることが好ましく、背側部１３の左右両側部１５，１５の間隔と略同じになっている。尚、台形形状の便漏れ防止シート１Ｂのうち、上底側部１０ｃを含む矩形の部分を矩形部分１０ｅといい、該矩形部分１０ｅの両側部に位置する三角形の部分を三角形部分１０ｆ，１０ｆという。
【００３０】
また、便漏れ防止シート１Ｂの長さＬ２（図７参照）は、２０ｃｍ〜２５ｃｍであることが好ましく、第１実施形態における便漏れ防止シート１Ｂの長さよりも長くなっている。便漏れ防止シート１Ｂの折り返し長さＬは、前述の第１実施形態における折り返し長さＬ（図２参照）と同様におむつ本体１Ａの長さの２０〜５０％程度であることが好ましく、具体的には７ｃｍ〜１０ｃｍであることが好ましい。
このように、第２実施形態における便漏れ防止シート１Ｂは、第１実施形態における便漏れ防止シート１Ｂよりも面積が大きくなっている。
【００３１】
次に、第２実施形態におけるパンツ型のおむつ本体１Ａの接合部分について詳述すると、おむつ本体１Ａの腹側部１４の左右両側部１６と背側部１３の左右両側部１５とは、メカニカルファスナーのメス部材及びオス部材１７により着脱自在に接合されている。
第２実施形態においては、おむつ本体１Ａの腹側部１４の左右両側部１６の表面シート２側に、それぞれ、メカニカルファスナーのメス部材が設けられている。該メス部材は、表面シート２自体を面ファスナーとして用いている。表面シート２としては、メカニカルファスナーのオス部材１７と係合し得る不織布を用いている。
【００３２】
また、第２実施形態においては、おむつ本体１Ａの背側部１３の左右両側部１５の表面シート２側に、それぞれ、前記メカニカルファスナーのメス部材に係合し得るメカニカルファスナーのオス部材１７が設けられている。該オス部材１７は、おむつ本体１Ａをコンパクトに巻き上げる上で、おむつ本体１Ａの背側部１３の左右両側部１５の長さ（おむつ本体１Ａの長手方向に沿う長さ）の略全長（具体的には８０％以上）に亘って設けられている。オス部材１７としては例えばフック部材、ループ部材等の面ファスナーを用いている。
【００３３】
第２実施形態におけるおむつ本体１Ａは、腹側部１４の左右両側部１６に設けられたメカニカルファスナーのメス部材（表面シート２）と、背側部１３の左右両側部１５に設けられたメカニカルファスナーのオス部材１７とを係合させると、腹側部１４の左右両側部１６と背側部１３の左右両側部１５とがそれぞれ接合されてパンツ型に形成される。つまり、メス部材とオス部材１７との係合により、腹側部１４の左右両側部１６と背側部１３の左右両側部１５との接合が形成されている。
尚、裏面シート３は、メカニカルファスナーのオス部材１７と係合し得る不織布が用いられ、おむつ廃棄時にオス部材１７に係合可能になっている。
【００３４】
第２実施形態における便漏れ防止シート１Ｂは、通常、図８（ａ）に示す形態に折り畳まれている。図８を参照して、折り畳まれた便漏れ防止シート１Ｂを展開する手順を説明する。
折り畳まれた便漏れ防止シート１Ｂは、図８（ａ）に示すように裏面シート３側からみて矩形となっている。先ず、図８（ｂ）に示すように、便漏れ防止シート１Ｂを、その上底側部１０ｃを折り返し部として背側端部１１から延出するように折り返す。次に、図８（ｃ）に示すように、便漏れ防止シート１Ｂを、その収容部９の開口部９ａ近傍を折り返し部として更に折り返す。これにより、便漏れ防止シート１Ｂにおける両三角形部分１０ｆが露出する。次いで、図８（ｄ）に示すように、両三角形部分１０ｆを、矩形部分１０ｅから外方に向けて折り返す。その結果、便漏れ防止シート１Ｂは、図５及び図６に示す台形形状に展開される。
尚、展開された便漏れ防止シート１Ｂを図８（ａ）に示す形態に折り畳む場合には、図８に示す展開手順とは逆の手順で折り畳めばよい。
【００３５】
第２実施形態のおむつ１の使用方法について以下に説明する。第２実施形態のおむつ１の使用方法は、基本的には第１実施形態のおむつ１の使用方法と同様であるが、おむつ本体がパンツ型であることに起因して第１実施形態のおむつ１の使用方法とは一部相違している。
第２実施形態のようなパンツ型のおむつにおいては、新しいおむつのレッグ開口部に着用者の両足を差し込んでおむつを交換する必要があり、第１実施形態のような展開型のおむつのように、おむつ本体１Ａ及び便漏れ防止シート１Ｂを展開した状態で、新しいおむつを使用済みのおむつ１の下方に配置し、その状態で使用済のおむつ１を着用者と新しいおむつとの間から抜き取ることによりおむつの交換を行うことができない。
そこで、第２実施形態のパンツ型のおむつ１においては、台形形状で面積の大きい便漏れ防止シート１Ｂを用いることにより、便漏れを防止すると共におむつを容易に交換できるようにしている。
【００３６】
まずおむつ１の交換に先立ち、裏面シート３と便漏れ防止シート１Ｂとの仮止め状態を解き、図８に示す展開手順で便漏れ防止シート１Ｂを展開し、便漏れ防止シート１Ｂが上底側部１０ｃのみにおいて裏面シート３と固定されている状態にする。次に便漏れ防止シート１Ｂがおむつ本体１Ａの背側端部１１から外方へ延出するように該便漏れ防止シート１Ｂを布団や畳、絨毯の上に展開すると共にその上に着用者を仰臥させる。この状態では、便漏れ防止シート１Ｂ上に着用者の背中が位置する。この状態下に、腹側部１４の左右両側部１６に設けられたメカニカルファスナーのメス部材と、背側部１３の左右両側部１５に設けられたメカニカルファスナーのオス部材１７との係合を解き、おむつ本体１Ａを展開状態にする。
【００３７】
次に、図９に示すように、着用者をおむつ本体１から離反する向きに便漏れ防止シート１Ｂ上を少しずらして、便漏れ防止シート１Ｂ上に着用者の臀部を位置させる。次いで、着用者の足首等を把持し引き上げて、着用者の臀部に付着している便を拭き取る。その際、第１実施形態のおむつ１のおける前述の便漏れ防止効果が得られる。
着用者の臀部に付着した便を拭き取った後に、図１０に示すように、便漏れ防止シート１Ｂ上に着用者の臀部を位置させた状態で、新しいおむつ１’を用意し、そのレッグ開口部に着用者の脚部を差し込んで、新しいおむつ１’を着用者に着用する。ここで、台形形状で面積の大きな便漏れ防止シート１Ｂによれば、その上に着用者の臀部を配置でき、更におむつ本体１Ａに付着した便から離間させて着用者の脚を上げた状態にできるため、パンツ型のおむつを容易に交換することができる。
【００３８】
その後、使用済のおむつ１を着用者から離間させる方向に引き抜く。そして、図１１（ａ）に示すように、おむつ本体１Ａを腹側端部（図示せず）から背側端部１１へ向けて巻き上げる。背側端部１１までおむつ本体１Ａを巻き上げたら、図１１（ｂ）に示すように、背側部１３の左右両側部１５，１５を幅方向内方に向けて折り返し、メカニカルファスナーのオス部材１７，１７をおむつ本体１Ａの裏面シート３上に止着する。これによっておむつ本体１Ａの巻き上げ形態が維持される。ここで、背側部１３の左右両側部１５の略全長に亘って設けられているメカニカルファスナーのオス部材１７によれば、おむつ本体１Ａをコンパクトに巻き上げ易く、後述するように巻き上げ形態のおむつ本体１Ａを収容部９に収納し易い。また、巻き上げ形態のおむつ本体１Ａから便漏れし難い。
【００３９】
次に図１１（ｃ）に示すように、便漏れ防止シート１Ｂにおける袋状の収容部９の表裏を反転させて、収容部９の開口部９ａが、巻き上げ形態となっているおむつ本体１Ａに臨むようにする。そして、図１１（ｃ）に示す状態下に、巻き上げ形態となっているおむつ本体１Ａは、開口部９ａを通じて収容部９内に収容される。その結果、図１１（ｄ）に示す廃棄形態が形成される。この廃棄形態によれば、便はおむつ本体１Ａの内部に保持され外部には漏れ出ないので、更にポリ袋等に入れることなく当該廃棄形態のまま衛生的に廃棄することができる。そのまま廃棄しても悪臭が漏れ出ることもない。
【００４０】
尚、排便がされず排尿のみがされた後におむつを交換する場合には、おむつ本体１Ａを前述のように必ずしも巻き上げる必要はなく、おむつ本体１Ａをその長手方向に四つ折りして廃棄することもできるが、第２実施形態におけるメカニカルファスナーのオス部材１７は、背側部１３の左右両側部１５の略全長に亘る長さを有しているため、前述のおむつ本体１Ａの四つ折り状態を確実に固定することができる。
【００４１】
以上の通り第２実施形態のおむつ１によれば、第１実施形態のおむつと同様の効果が得られる他、以下の効果が奏される。
おむつ本体１Ａがパンツ型で、且つ便漏れ防止シート１Ｂが、台形形状（台形様形状）で、その短辺側である上底側部１０ｃがおむつ本体１Ａの背側部１３に接合固定されている。そのため、便漏れ防止シート１Ｂの上に着用者の臀部を配置でき、更におむつ本体１Ａに付着した便から離間させて着用者の脚を上げた状態にできるため、パンツ型のおむつを容易に交換することができる。そして、台形形状（台形様形状）の便漏れ防止シート１Ｂによれば、おむつ本体１Ａとの固定端である上底側部１０ｃ側の幅を狭くし、自由端である下底側部１０ｄ側の幅を広くすることができ、便漏れ防止シート１Ｂ自体の大きさのコンパクト化及び便漏れ防止シート１Ｂの折り畳み時の大きさのコンパクト化を図り、おむつ交換時における着用者の臀部の配置スペースを大きく確保することができる。
【００４２】
また、おむつ本体１Ａの腹側部１４の左右両側部１６の表面シート２側にメカニカルファスナーのメス部材が設けられ、おむつ本体１Ａの背側部１３の左右両側部１５の表面シート２側にメカニカルファスナーのオス部材１７が設けられているため、おむつ廃棄時にメカニカルファスナーのオス部材１７を利用して、おむつ本体１Ａの巻き上げ形態を維持することができる。
更に、メカニカルファスナーのオス部材１７が背側部１３の左右両側部１５の略全長に亘って設けられているため、おむつ本体１Ａをコンパクトに巻き上げ易く、巻き上げ形態のおむつ本体１Ａから便漏れし難い。
【００４３】
おむつ本体の接合部分の構成を変更した別の形態を図１２及び図１３を参照して説明する。図１２は、パンツ型のおむつ本体１Ａの接合部分の別の形態を示す図である。図１２に示すおむつ本体１Ａにおいては、腹側部１４の左右両側部１６と背側部１３の左右両側部１５とがホットメルト接着剤Ｓにより接合固定され、一旦剥離したら再接合が不可能な接合形態（最も一般的なパンツ型の接合形態）となっている。
【００４４】
また、図１３は、パンツ型のおむつ本体１Ａの接合部分の更に別の形態を示す図である。図１３に示すおむつ本体１Ａにおいては、腹側部１４の左右両側部１６と背側部１３の左右両側部１５とが接合固定された形態となっており、更に、おむつ本体１Ａの背側部１３の左右両側部１５の裏面シート３側に、それぞれ、おむつ廃棄時におむつ本体１Ａの裏面シート３に止着し得る廃棄テープ１８を設けられている。この形態においては、廃棄テープ１８は、図１３（ａ）に示すように三つ折り形態で設けられている。三つ折り形態の廃棄テープ１８によれば、おむつ使用時には、コンパクトで邪魔にならず、おむつ廃棄時には、図１３（ｂ）に示すように廃棄テープ１８を引き出して、裏面シート３に止着することにより、おむつ本体１Ａの巻き上げ形態を維持することができる。
【００４５】
本発明の使い捨ておむつにおいて、おむつ本体がパンツ型である場合には、便漏れ防止シート、おむつ本体の接合部分等の構成は、第２実施形態における構成に制限されない。
台形様形状の便漏れ防止シートとしては、第２実施形態における便漏れ防止シート１Ｂのような台形形状のものに制限されず、おむつ本体１Ａから離間する方向に向けて拡がる形状を有する台形様形状のものであればよい。例えば、便漏れ防止シートの上底側部、下底側部及び両斜辺は、円弧状、楕円弧状、波状でもよい。
メカニカルファスナーとしては、おむつ本体の腹側部の左右両側部と背側部の左右両側部とをそれぞれ着脱自在に接合し得るものであれば、第２実施形態におけるメカニカルファスナーのような面ファスナーに制限されない。例えば、メカニカルファスナーのオス部材としてボタンを用いることができる。メカニカルファスナーのメス部材は、表面シート又は裏面シートとは別体の部材から形成することができる。
【００４６】
本発明の使い捨ておむつにおいては、第１実施形態のような展開型のおむつ本体に、第２実施形態のような台形様形状の便漏れ防止シートを組み合わせることができ、また、第２実施形態のようなパンツ型のおむつ本体に、第１実施形態のような矩形状の便漏れ防止シートを組み合わせることができる。
【００４７】
本発明のおむつは、水状便の排泄が多い低月齢児用のおむつとして好適であるが、それ以外の着用者を対象としたおむつとして用いることも可能である。
【図面の簡単な説明】
【００４８】
【図１】本発明の使い捨ておむつの一実施形態を示す斜視図である。
【図２】図１におけるII−II線断面図である。
【図３】図１に示すおむつの交換操作を示す図である。
【図４】図１に示すおむつの廃棄操作を示す図である。
【図５】本発明の使い捨ておむつの別の実施形態（第２実施形態）を示す斜視図である。
【図６】図５に示すおむつにおける背側部及び便漏れ防止シートを裏面シート側から示す図である。
【図７】図６におけるVII−VII線断面図である。
【図８】図５に示すおむつにおける便漏れ防止シートの展開手順を示す図である。
【図９】図５に示すおむつの交換操作を示す図である。
【図１０】図９に示す交換操作の続きを示す図である。
【図１１】図５に示すおむつの廃棄操作を示す図である。
【図１２】パンツ型のおむつ本体の接合部分の別の形態を示す模式的断面図である。
【図１３】パンツ型のおむつ本体の接合部分の更に別の形態を示す模式的断面図で、（ａ）はおむつ使用時を示す図、（ｂ）はおむつ廃棄時を示す図である。
【符号の説明】
【００４９】
１  使い捨ておむつ
１Ａ  おむつ本体
１Ｂ  便漏れ防止シート（シート）
２  表面シート
３  裏面シート
４  吸収体
８  ファスニングテープ
９  収容部
１０ａ  親水性のシート材
１０ｂ  液不透過性のシート材
１０ｃ  上底側部
１３  背側部
１４  腹側部
１５  背側部の側部
１６  腹側部の側部
１７  メカニカルファスナーのオス部材
１８  廃棄テープ
【図１】
2005131382.tif 000003
【図２】
2005131382.tif 000004
【図３】
2005131382.tif 000005
【図４】
2005131382.tif 000006
【図５】
2005131382.tif 000007
【図６】
2005131382.tif 000008
【図７】
2005131382.tif 000009
【図８】
2005131382.tif 000010
【図９】
2005131382.tif 000011
【図１０】
2005131382.tif 000012
【図１１】
2005131382.tif 000013
【図１２】
2005131382.tif 000014
【図１３】
2005131382.tif 000015